(57)【要約】【課題】印刷枚数が最小となるように効率よく差分印刷を行うこと。【解決手段】原稿の文書の情報を保存する記憶手段と、文書の類似度を判定する類似度判定手段と、文書を章毎に分割する章分割手段と、文書のページ毎の内容同士を比較するページ比較手段と、文書の章毎の内容同士を比較する章比較手段と、原稿のレイアウトを修正する編集手段と、印刷装置に対して出力するページを判定する出力判定手段と、を備え、編集手段によって編集した後の原稿の文書と記憶手段に保存された編集前の原稿の文書の中で類似度判定手段によって最も類似度が高いと判断された文書とをページ比較手段で比較し、比較結果に応じて出力判定手段で印刷するページを選択して印刷する。【選択図】図１
2016099645.tif 000002
【特許請求の範囲】
【請求項１】
原稿の文書の情報を保存する記憶手段と、前記文書の類似度を判定する類似度判定手段と、前記文書を章毎に分割する章分割手段と、前記文書のページ毎の内容同士を比較するページ比較手段と、前記文書の章毎の内容同士を比較する章比較手段と、前記原稿のレイアウトを修正する編集手段と、印刷装置に対して出力するページを判定する出力判定手段と、を備え、前記編集手段によって編集した後の原稿の文書と前記記憶手段に保存された編集前の原稿の文書の中で類似度判定手段によって最も類似度が高いと判断された文書とを前記ページ比較手段で比較し、比較結果に応じて前記出力判定手段で印刷するページを選択して印刷することを特徴とする画像形成装置。
【請求項２】
前記編集手段によってレイアウトを修正する際に、差分の情報に応じて章削除もしくは章修正を含むコメントを挿入することで編集内容を強調する強調手段をさらに備えたことを特徴とする請求項１記載の画像形成装置。
【請求項３】
前記編集手段によってレイアウトを修正する際に修正日時を印刷し、レイアウト修正後の差分に対してレイアウトを修正した日時を追記する日時追記手段をさらに備えたことを特徴とする請求項１記載の画像形成装置。
【請求項４】
前記編集手段によってレイアウトを修正した結果、レイアウト修正後の差分を含む新たなページが挿入される場合、新たなページのページ番号がどのページに続くのか把握可能な符号もしくは記号を新たなページと共に印刷するページ番号修正手段をさらに備えたことを特徴とする請求項１記載の画像形成装置。
【請求項５】
前記類似度判定手段は、ファイル名が類似していれば無条件に類似度が高いと判断することを特徴とする請求項１記載の画像形成装置。
【請求項６】
原稿に対してバーコードを含む文書識別記号を追加する文書識別記号追加手段と、前記文書識別記号を認識する文書識別記号認識手段と、を有することにより、類似文書の判定を簡易化することを特徴とする請求項１記載の画像形成装置。
【請求項７】
原稿の各章に対して章識別記号を追加する章識別記号追加手段と、章識別記号を認識する章識別記号認識手段と、を有することにより、文書内の類似章の判定を簡易化することを特徴とする請求項１記載の画像形成装置。
【請求項８】
行が変化した章を含むページのフォントを変更することで変更量を吸収し、差分のページを少なくするようレイアウトを修正するレイアウト修正手段をさらに備えたことを特徴とする請求項１記載の画像形成装置。
【請求項９】
原稿の文書の情報を保存し、前記原稿の文書の類似度を判定し、前記原稿を章毎に分割し、前記原稿のページ毎の内容同士を比較し、前記原稿の章毎の内容同士を比較してレイアウトを修正した後の原稿の文書と保存された編集前の原稿の文書の中で最も類似度が高いと判断された文書とを比較し、比較結果に応じて印刷するページを選択して印刷することを特徴とする画像処理方法。
【請求項１０】
記憶手段、類似度判定手段、章分割手段、ページ比較手段、章比較手段、編集手段、出力判定手段、及び印刷手段を有する画像形成装置のコンピュータが読み取り可能なプログラムであって、
前記コンピュータに、
前記記憶手段が、原稿の文書の情報を保存する手順、
前記章分割手段が、前記文書を章毎に分割する手順、
前記章比較手段が、前記文書の章毎の内容同士を比較する手順、
前記編集手段が、前記原稿のレイアウトを修正する手順、
前記出力判定手段が、印刷装置に対して出力するページを判定する手順、
前記ページ比較手段が、前記編集手段によって編集した後の原稿の文書と前記記憶手段に保存された編集前の原稿の文書の中で類似度判定手段によって最も類似度が高いと判断された文書とを比較する手順、
前記印刷手段が、比較結果に応じて前記出力判定手段で印刷するページを選択して印刷する手順、
を実行させるプログラム。
【発明の詳細な説明】
【技術分野】
【０００１】
本発明は、画像形成装置、画像処理方法、及びプログラムに関する。
【背景技術】
【０００２】
文書を印刷する場合、(a)一度も印刷したことがない文書を印刷するケースと、(b)以前印刷したことのある文書をまた印刷するケースと、(c)以前印刷した文書を変更したものを印刷するケースと、に分けることができる。
(b)のケースは、意図してもう一度印刷するケースと、一度印刷したことを忘れていてもう一度印刷してしまっているケースとが有り、意図していない場合は印刷に必要な紙やトナー、時間が無駄になる。また、(c)のケースは変更箇所が少ない場合は、新規の情報量に対して既に印刷済みの情報が少なく、非効率な印刷になる。このような問題に対し、過去の印刷情報を使って差分がある頁を判別し、差分ページのみを差し替えるために印刷する印刷システムが既に知られている。
【発明の概要】
【発明が解決しようとする課題】
【０００３】
しかし、今までのシステムでは、ページ単位で差分比較をするため、例えば先頭ページに文章が追加された場合、それ以降の内容に変化がなくてもページとしてはずれた分が差分になってしまい効率よく印刷枚数を減らせないという問題があった。
【０００４】
特許文献１には、用紙の無駄な印刷を防止するとともに、印刷を効率化する目的で、既処理印刷文書と現印刷文書とをページ毎に比較し、差分のみを印刷するモードを備えた印刷指示装置技術が開示されている。
しかし、特許文献１に記載の発明は、ページ単位で比較するシステムであるために、文章が追加されることによるズレの影響を避ける事ができず差分印刷の効率が下がるという問題は解消できていない。
【０００５】
そこで、本発明の目的は、印刷枚数が最小となるように効率よく差分印刷を行うことにある。
【課題を解決するための手段】
【０００６】
上記課題を解決するため、請求項１に記載の発明は、原稿の文書の情報を保存する記憶手段と、前記文書の類似度を判定する類似度判定手段と、前記文書を章毎に分割する章分割手段と、前記文書のページ毎の内容同士を比較するページ比較手段と、前記文書の章毎の内容同士を比較する章比較手段と、前記原稿のレイアウトを修正する編集手段と、印刷装置に対して出力するページを判定する出力判定手段と、を備え、前記編集手段によって編集した後の原稿の文書と前記記憶手段に保存された編集前の原稿の文書の中で類似度判定手段によって最も類似度が高いと判断された文書とを前記ページ比較手段で比較し、比較結果に応じて前記出力判定手段で印刷するページを選択して印刷することを特徴とする。
【発明の効果】
【０００７】
本発明によれば、印刷枚数が最小となるように効率よく差分印刷を行うことができる。
【図面の簡単な説明】
【０００８】
【図１】本発明の一実施の形態に係る全体構成図である。
【図２】図１に示した差分印刷装置10の機能ブロック図の一例である。
【図３】図１に示した差分印刷装置10の印刷処理開始から完了までの処理について説明するフローチャートの一例である。
【図４】図１に示した差分印刷装置10のレイアウト修正処理について説明するためのフローチャートの一例である。
【図５】図１に示した差分印刷装置10のレイアウト修正処理１についての説明図である。
【図６】図１に示した差分印刷装置10のレイアウト修正処理２についての説明図である。
【図７】図１に示した差分印刷装置10のレイアウト修正処理３についての説明図である。
【図８】図１に示した差分印刷装置10のレイアウト修正処理４についての説明図である。
【発明を実施するための形態】
【０００９】
本発明の実施の形態を説明する。
＜概要＞
本発明は、過去に印刷したことのある修正前の旧文書と同一、または類似の文書を印刷する処理に際して、以下の特徴を有する。
要するに、過去に印刷したことのある旧文書の少なくとも一部の情報を保存し、以降の印刷の際に保存した情報と新たな文書の印刷情報とを比較する。比較結果に応じて類似文書が無い新規文書か類似文書が有る更新文書かを判断する。印刷情報のレイアウトを変更することで過去に印刷したことのある旧文書と更新文書との差分となる文書のみ印刷することでページ数が減少する。この結果、効率よく差分印刷を行った文書を得ることができる。尚、レイアウト修正後の文書を更新文書とする。
【００１０】
＜実施の形態＞
上記記載の本発明の特徴について、以下の図面を用いて詳細に解説する。
［構成］
図１は、本発明の一実施の形態に係る全体構成図である。
図１に示す画像形成装置としての差分印刷装置10のハードウェアブロック図の一例について説明する。
差分印刷装置10は、IPU11、CTL12、記憶部13、表示部14、及び操作部15を有する。CTL(Controller)12は、入力部20、類似度判定部19、章定義部18、編集部17、CPU40、ROM41、RAM42、及びI/O43を有する。CPU(Central Processing Unit)40は、CTL12を統括制御する素子である。ROM(Read Only Memory)41は、制御プログラムを記憶する素子である。RAM(Random Access Memory)42は、制御に必要なプログラムを一時的に記憶する作業メモリである。I/O(Input/Output)43は外部の回路と接続してデータを授受する素子である。IPU(Image Processing Unit：画像処理装置)11は、色変換、輝度変換、変倍等の画像を編集する機能ブロックを含む装置である。
入力部20は印刷する文書である原稿を取得するための装置であり、例えば原稿を読み取りOCR変換するスキャナーもしくは文書データを格納したフラッシュメモリ用のコネクタ等が挙げられる。OCRはOptical Character Readerの略である。
類似度判定部19は文書と記憶部13に保存された文書との類似度を判定し、修正前の原稿の文書である旧文書を判定する装置である章定義部18は空行を境界として文書の章を定義する装置である。類似度の判定については、ファイル名が類似していれば無条件に類似度が高いと判断することが挙げられる。尚、本発明はこれに限定されるものではなく、文書中の単語を抽出したその種類、出現回数によって判定する方法でもコサイン類似度法でもよい。
編集部17はレイアウトの修正を行う装置である。
操作部15はユーザーが操作するための装置である。
表示部14は差分印刷装置10からの情報を表示する装置である。
記憶部13は、HDD(Hard Disk Drive)で構成され、パーテーションで区画されたROM領域とRAM領域とを有する。記憶部13は過去の原稿データを保存する装置である。
出力部16はレイアウト修正後の文書データを印刷して出力する装置である。
【００１１】
図２は、図１に示した差分印刷装置10の機能ブロック図の一例である。
差分印刷装置10の機能ブロックは、記憶部13にソフトウェア形式で保存されている。機能ブロックは主として記憶手段21、類似度判定手段22、章分割手段23、ページ比較手段25、章比較手段26、編集手段24、及び出力判定手段27を有する。
記憶手段21は記憶部13の一部の記憶エリアで実現される。文書の類似度を判定する類似度判定手段22は類似度判定部19で実現される。文書の章毎の内容同士を比較する章分割手段23は章定義部18で実現される。原稿のレイアウトを修正する編集手段24は編集部17で実現される。ページ比較手段25は文書のページ毎の内容同士を比較する機能を有し、CTL12で実現される。
【００１２】
差分印刷装置10は、印刷方法判定手段28、強調手段29、日時追記手段30、ページ番号修正手段31、差分印刷手段32、入力手段33、文書識別記号追加手段34、文書識別記号認識手段35、もしくは章識別記号追加手段36を有しても良い。また、差分印刷装置10は、章識別記号認識手段37、もしくはレイアウト修正手段38を有してもよい。
【００１３】
印刷方法判定手段28は類似度判定手段22によって得られた類似度に応じて、差分だけ印刷するか全文を印刷するかを判定する機能を有する。
強調手段29は編集手段24によってレイアウトを修正する際に、差分の情報に応じて章削除もしくは章修正を含むコメントを挿入することで編集内容を強調する機能を有する。
日時追記手段30は編集手段24によってレイアウトを修正する際に修正日時を印刷し、レイアウト修正後の差分に対してレイアウトを修正した日時を追記する機能を有する。
ページ番号修正手段31は編集手段24によってレイアウトを修正した結果、レイアウト修正後の差分を含む新たなページが挿入される場合、新たなページのページ番号がどのページに続くのか把握可能な符号もしくは記号を新たなページと共に印刷する。
差分印刷手段32はレイアウト修正後の印刷待ち状態の文書同士で差分だけ印刷を行う機能を有する。
入力手段33はユーザーが変更箇所を認識している場合、前記ユーザーが直接類似章を入力することが可能である。
文書識別記号追加手段34は原稿に対してバーコードを含む文書識別記号を追加する機能を有する。
文書識別記号認識手段35は文書識別記号を認識する機能を有する。
章識別記号追加手段36は原稿の各章に対してバーコード等の章識別記号を追加する機能を有する。文書識別記号追加手段36と、文書識別記号認識手段35と、を有することにより、類似文書の判定を簡易化することができる。
章識別記号認識手段37は章識別記号を認識する機能を有する。
レイアウト修正手段38は行が変化した章を含むページのフォントを変更することで変更量を吸収し、差分のページを少なくするようレイアウトを修正する機能を有する。
【００１４】
［動作１］
図３は、図１に示した差分印刷装置10の印刷処理開始から完了までの処理について説明するフローチャートの一例である。
動作の主体はCPU40である。差分印刷装置10は印刷要求を受信することで開始する(ステップS1)。
次に差分印刷を行うか否かを判定する。これは、印刷要求の段階で決定しても良く、ユーザーがその場で表示部を見ながら決定しても良い(ステップS2)。
差分印刷を行わない場合(ステップS2/N)、全文印刷を行い(ステップS10)、その際の文書の情報の全て、あるいは一部、さらに印刷設定等を記憶部13に保存して完了となる(ステップS8)。
【００１５】
差分印刷を実施する場合(ステップS2/Y)、記憶部13に保存されている過去データから今回印刷する文書に最も類似した文書を検索する(ステップS3)。
類似文書が有るか否かを検索するに際し、類似度はファイル名から判定しても、文書の内容から判定しても良く、類似文書をユーザーが直接指定しても良い(ステップS4)。最も類似する文書の類似度が規定値に達しない場合は、類似文書がないと判定し(ステップS4/N)、新規文書と判断し(ステップS9)、全文印刷を行ってもよく(ステップS10)、ユーザーが再度差分印刷するか否かを確認しても良い(ステップS5)。
差分印刷を実施する場合(ステップS2/Y)、類似文書と今回印刷する文書とを比較し(ステップS3,S4)、類似文書が有る場合(ステップS4/Y)、今回印刷する文書を更新文書と判断し(ステップS5)、レイアウト修正し(ステップS6)する。過去に印刷した文書と今回印刷する文書との差分ページが最小になるようにし、レイアウト修正完了後に差分印刷を実施し(ステップS7)、今回の文書の情報を保存してジョブを完了とする(ステップS8)。
【００１６】
［動作２］
図４は、図１に示した差分印刷装置10のレイアウト修正処理について説明するためのフローチャートの一例である。
レイアウト修正処理では、まず原稿の文書に対して空行を境界として区切り、章の定義処理を行う(ステップS21)。
次に旧文書と今回印刷する文書の章同士を比較し、類似度を算出して類似章の紐付けを行う。この紐付けにより、旧文書のどの章と今回印刷する文書のどの章がリンクしているか、どの章が削除され、どの章が新規追加されたかを判定することになる(ステップS22)。
ここで、あまりにも変更が大きい場合は差分印刷の効果が薄れるので、ユーザーが差分印刷を実施するか否かを再確認しても良い。
【００１７】
次に更新文書の先頭の章に着目する(ステップS23)。
(a)着目した章の前に削除された章がある場合、(b)着目した章が新規に追加された章が有る場合、(c)着目した章が類似の章よりも行数が増加した場合、及び(d)着目した章が類似の章よりも行数が減少した場合、の４つの場合がある。これらの４つの場合に応じたレイアウト修正処理を行うが、具体的な処理方法については図５で説明する。
【００１８】
いずれにも合致しない場合(ステップS24,28,30,32/N)、すなわち類似章と行数が変わらない場合はレイアウト修正処理を行わない。これら処理が完了したら次の章に着目し(ステップS26)、同様の処理を行う。全ての章に対して処理が完了するまでこれを繰り返し(ステップS24,28,30,32,)、更新文書のレイアウトを修正する(ステップS25,29,31,33)。修正完了後は修正された文書内で旧文書と一致するページ以外を印刷することで差分印刷を行う(ステップS27)。
【００１９】
［レイアウト修正例１］
図５は、図１に示した差分印刷装置10のレイアウト修正処理１についての説明図である。
レイアウト修正処理１は新規文書D1-2で着目した章が削除された場合に実施される。このケースでは旧文書D1-1の(2)に紐付けられる章が新規文書D1-2にないため、(2)が削除されたと判定される。まずレイアウト修正後文書D1-3である更新文書の(1)章は旧文書D1-1の(1)章と行数が一致しているのでレイアウト修正処理は実施されずに次の章に着目する。
【００２０】
(2)章が削除されているのでさらに次の章である(3)章のページに対する開始位置が旧文書と同じになるまで空行を挿入する。この例では旧文書の(3)章がページの先頭から開始しているので、同様にページ先頭から(3)章が始まるように空行を挿入する。挿入する行数は削除された章の行数を一ページの行数で割ったあまりの行数になる。例えば、図５の(2)が１ページ目に15行有り、イメージ全体で35行あったとすると、章の総和50行÷１ページの行数35の余りである15行挿入する。レイアウト後は、旧文書D1-1の３ページ目とレイアウト修正後文書D1-3である更新文書の２ページ目、旧文書D1-1の４ページ目とレイアウト修正後文書D1-3である更新文書の３ページ目の内容が一致している。この結果((4)章や(5)章の内容が変化していれば不一致とする)、更新文書D1-3の１ページ目のみが差分ページとなり差分印刷対象となる。
【００２１】
［レイアウト修正例２］
図６は、図１に示した差分印刷装置10のレイアウト修正処理２についての説明図である。
レイアウト修正処理２は新規文書D2-2で着目した章が新規追加された章である場合に実施される。このケースでは、新規文書D2-2の新規の章に紐づく旧文書D2-1の章がないため新規追加と判定される。着目した章が新規追加であった場合は次の章のページに対する開始位置が旧文書D2-1のまだ着目されていない章の中で一番上にある章のページに対する開始位置に一致するまで空行を挿入する。すなわち、この例では新規文書D2-2の(2)章の開始位置が旧文書D2-1の(2)章の開始位置と同じになるように空行を挿入する。これによりレイアウト修正後文書D2-3である更新文書の４ページ目と旧文書D2-1の２ページ目、更新文書の５ページ目と旧文書D2-1の３ページ目とが一致するため、印刷するのはレイアウト修正後文書D2-3である更新文書の１〜３ページのみとなる。
【００２２】
［レイアウト修正例３］
図７は、図１に示した差分印刷装置10のレイアウト修正処理３についての説明図である。
レイアウト修正処理３は、新規文書D3-2で着目した章が旧文書D3-1で紐付いている章より行数が増加している場合に実施される。この場合は行数増加した章の次の章のページに対する開始位置が旧文書D3-1の紐付いている章と一致するようになるまで空行を挿入する。この例ではこれにより更新文書であるレイアウト修正後文書D3-3の１ページ目と旧文書D3-1の１ページ目、更新文書であるレイアウト修正後文書D3-3の４ページ目と旧文書D3-1の３ページ目とが一致し、差分印刷時は更新文書であるレイアウト修正後文書D3-3の２、３ページ目を印刷するのみとなる。
【００２３】
［レイアウト修正例４］
図８は、図１に示した差分印刷装置10のレイアウト修正処理４についての説明図である。
レイアウト修正処理３は新規文書D4-2で着目した章が旧文書D4-1で紐付いている章より行数が減少している場合に実施される。この場合は行数減少した章の次の章のページに対する開始位置が旧文書D4-1の紐付いている章と一致するようになるまで空行を挿入する。この例ではこれによりレイアウト修正後文書D4-3である更新文書の１ページ目と旧文書D4-1の１ページ目、レイアウト修正後の更新文書D4-3の２ページ目と旧文書D4-1の２ページ目が一致し、レイアウト修正後文書D4-3である更新文書の３ページ目と旧文書D4-1の３ページ目が一致し、差分印刷時はレイアウト修正後文書D4-3である更新文書の２ページ目を印刷するのみとなる。
【００２４】
＜プログラム＞
以上で説明した本発明に係る画像形成装置は、コンピュータで処理を実行させるプログラムによって実現されている。コンピュータとしては、例えばマイクロプロセッサ等の汎用的なものが挙げられるが、本発明はこれに限定されるものではない。よって、一例として、プログラムにより本発明の機能を実現する場合の説明を以下で行う。
【００２５】
例えば、
記憶手段、類似度判定手段、章分割手段、ページ比較手段、章比較手段、編集手段、出力判定手段、及び印刷手段を有する画像形成装置のコンピュータが読み取り可能なプログラムであって、
コンピュータに、
記憶手段が、原稿の文書の情報を保存する手順、
章分割手段が、文書を章毎に分割する手順、
章比較手段が、文書の章毎の内容同士を比較する手順、
編集手段が、原稿のレイアウトを修正する手順、
出力判定手段が、印刷装置に対して出力するページを判定する手順、
ページ比較手段が、編集手段によって編集した後の原稿の文書と記憶手段に保存された編集前の原稿の文書の中で類似度判定手段によって最も類似度が高いと判断された文書とを比較する手順、
印刷手段が、比較結果に応じて前記出力判定手段で印刷するページを選択して印刷する手順、
を実行させるプログラムが挙げられる。
【００２６】
このようなプログラムは、コンピュータに読み取り可能な記憶媒体に記憶されていてもよい。
【００２７】
＜記憶媒体＞
ここで、記憶媒体としては、例えばCD-ROM、フレキシブルディスク（FD）、CD-R等のコンピュータで読み取り可能な記憶媒体、フラッシュメモリ、RAM、ROM、FeRAM等の半導体メモリやHDDが挙げられる。
【００２８】
CD-ROMは、Compact Disc Read Only Memoryの略である。フレキシブルディスクは、Flexible Disk：FDを意味する。CD-Rは、CD-Recordableの略である。FeRAMは、Ferroelectric RAMの略で、強誘電体メモリを意味する。HDDは、Hard Disc Driveの略である。
【００２９】
＜作用効果＞
以上より、本実施形態によれば、印刷した文書の全て、あるいは一部の情報を保存し、以降の印刷の際に保存されている情報と新規印刷情報とを比較し、比較結果に応じて新規印刷情報のレイアウトを変更する。この結果、保存文書と新規文書の差分となるページ数を減少し、効率よく差分印刷を行うことができる。
【００３０】
また、本実施形態によれば、差分印刷効率が低い場合に無理に再レイアウトして処理時間が長くなることを防ぐという効果が得られる。
また、本実施形態によれば、編集内容をユーザーがわかりやすいという効果が得られる。
また、本実施形態によれば、修正日時をユーザーがわかりやすいという効果が得られる。
また、本実施形態によれば、編集部分をユーザーが認識しやすいという効果が得られる。
また、本実施形態によれば、孤立文字列の中でより重要なファイル名を候補と判定できるという効果が得られる。
また、本実施形態によれば、類似章判定処理の処理時間をなくすことができるという効果が得られる。
また、本実施形態によれば、類似文書判定処理の処理時間をなくすことができるという効果が得られる。
また、本実施形態によれば、差分ページを少なくすることができるという効果が得られる。
また、本実施形態によれば、類似文書判定処理を高速に行うことができるという効果が得られる。
【００３１】
尚、上述した実施の形態は、本発明の好適な実施の形態の一例を示すものであり、本発明はそれに限定されることなく、その要旨を逸脱しない範囲内において、種々変形実施が可能である。
【符号の説明】
【００３２】
１０    差分印刷装置
１１    ＩＰＵ
１２    ＣＴＬ
１３    記憶部
１４    表示部
１５    操作部
１６    出力部
１７    編集部
１８    章定義部
１９    類似度判定部
２０    入力部
２１    記憶手段
２２    類似度判定手段
２３    章分割手段
２４    編集手段
２５    ページ比較手段
２６    章比較手段
２７    出力手段
２８    印刷方法判定手段
２９    強調手段
３０    日時追記手段
３１    ページ番号修正手段
３２    差分印刷手段
３３    入力手段
３４    文書識別記号追加手段
３５    文書識別記号認識手段
３６    章識別記号追加手段
３７    章識別記号認識手段
３８    レイアウト修正手段
【先行技術文献】
【特許文献】
【００３３】
【特許文献１】特開２００２−６３０１２号公報
【図１】
2016099645.tif 000003
【図２】
2016099645.tif 000004
【図３】
2016099645.tif 000005
【図４】
2016099645.tif 000006
【図５】
2016099645.tif 000007
【図６】
2016099645.tif 000008
【図７】
2016099645.tif 000009
【図８】
2016099645.tif 000010